(57)【要約】【課題】撮影者によって撮影された写真を含む画像を印刷する写真注文受付印刷装置に関し、特に撮影日またはイベントが複数であった場合は、写真を複数組み合わせ１枚の写真で印刷するようにした写真注文受付印刷装置並びに写真注文受付印刷方法並びに画像印刷写真。【解決手段】  撮影者によって撮影された複数の画像を印刷する写真注文受付印刷装置であって、画像情報と、撮影日情報またはイベント情報を含む非画像関連情報とを記憶する記憶媒体あるいは記憶媒体を含む機器から読み出された撮影日情報またはイベント情報が単一であった場合は前記画像を１枚毎に印刷させ、前記読み出された撮影日情報またはイベント情報が複数個ある場合は画像を複数個並べて印刷させる。 【選択図】  図１
2008042352.tif 000002
【特許請求の範囲】
【請求項１】
撮影者によって撮影された複数の画像を印刷する写真注文受付印刷装置であって、画像情報と、撮影日情報またはイベント情報を含む非画像関連情報とを記憶する記憶媒体あるいは記憶媒体を含む機器を受付ける受付け手段と、前記記憶媒体あるいは記憶媒体を含む機器に記憶された前記画像情報と前記非画像関連情報を読み出す読出し手段と、前記読み出された撮影日情報またはイベント情報が単一であるか否かを判別する判別手段とを備え、前記読み出された撮影日情報またはイベント情報が単一であると判別した場合は写真１枚毎に前記画像を印刷させ、前記読み出された撮影日情報またはイベント情報が複数個あると判別した場合は、前記画像を複数個並べて印刷させるよう制御する制御手段を備えた写真注文受付印刷装置。
【請求項２】
撮影者によって撮影された複数の画像を印刷する写真注文受付印刷方法であって、画像情報と、撮影日情報またはイベント情報を含む非画像関連情報とを記憶する記憶媒体あるいは記憶媒体を含む機器を受付けるステップと、前記記憶媒体あるいは記憶媒体を含む機器に記憶された前記画像情報と前記非画像関連情報を読み出す読出すステップと、前記読み出された撮影日情報またはイベント情報が単一であるか否かを判別するステップと、撮影日情報またはイベント情報が単一であると判別した場合には写真１枚毎に前記画像を印刷させるステップと、前記読み出された撮影日情報またはイベント情報が複数個あると判別した場合は、前記画像を複数個並べて印刷させるステップとを、を有する写真注文受付印刷方法。
【請求項３】
撮影者によって撮影された複数の画像を印刷する写真注文受付印刷装置により印刷される写真であって、画像情報と、撮影日情報またはイベント情報を含む非画像関連情報とを記憶する記憶媒体あるいは記憶媒体を含む機器を受付ける受付け手段により受付けられ、前記記憶媒体あるいは記憶媒体を含む機器に記憶された前記画像情報と前記非画像関連情報を読み出す読出し手段により読み出され、前記読み出された撮影日情報またはイベント情報が単一か否かを判別する判別手段により単一であると判別した場合には写真１枚毎に印刷させ、複数個であると判別した場合は、前記画像を複数個並べて印刷させる制御手段により制御された写真。
【発明の詳細な説明】
【技術分野】
【０００１】
本発明は、撮影者によって撮影された写真を含む画像を印刷する写真注文受付印刷装置に関し、特に撮影日またはイベントが複数であった場合は、画像を複数組み合わせ１枚の写真で印刷するようにした写真注文受付印刷装置並びに写真注文受付印刷方法並びに画像印刷写真に関する。
【背景技術】
【０００２】
従来、古い画像とプリントアウトしたい新しい画像とが記録媒体中に存在する場合に、新しい画像を優先的に出力することが開示されている（特許文献１）。
【０００３】
【特許文献１】特開２００４−５６２００
【発明の開示】
【発明が解決しようとする課題】
【０００４】
上述の技術では、古い画像はかならずしもプリントしたくないとは言えず、むしろデジタルカメラにおいては撮影した写真データをメディア内から簡単に消すことが出来るため、古い写真データをプリントして保存したい利用者を困惑させてしまうことになる。
【０００５】
本発明は、このような従来の構成が有していた問題を解決しようとするものであり、撮影者によって撮影された複数の画像を印刷する写真注文受付印刷装置であって、画像情報と、撮影日情報またはイベント情報を含む非画像関連情報とを記憶する記憶媒体あるいは記憶媒体を含む機器を受付ける受付け手段と、前記記憶媒体あるいは記憶媒体を含む機器に記憶された前記画像情報と前記非画像関連情報を読み出す読出し手段と、前記読み出された撮影日情報またはイベント情報が単一であるか否かを判別する手段とを備え、前記読み出された撮影日情報またはイベント情報が単一であると判別した場合は写真１枚毎に前記画像を印刷させ、前記読み出された撮影日情報またはイベント情報が複数個あると判別した場合は、前記画像を複数組み合わせ印刷させるよう制御する制御手段を備えた写真注文受付印刷装置である。
【０００６】
誰もが簡単に撮影が行えるデジタルカメラ及びカメラ付き携帯電話は、全ての写真を印刷するとなった場合、プリント枚数が膨大になってしまう。そこで、複数の撮影日やイベントで撮影を行った写真を複数組み合わせて印刷することによりプリント枚数を少なくすることができる。また、デジタルカメラ及びカメラ付き携帯電話においては、撮影した写真データをメディア内から簡単に消すことが出来るため、本発明により多くの古い写真をプリントして保存しておくことができる。
【課題を解決するための手段】
【０００７】
本発明は、撮影者によって撮影された複数の画像を印刷する写真注文受付印刷装置であって、画像情報と、撮影日情報またはイベント情報を含む非画像関連情報とを記憶する記憶媒体あるいは記憶媒体を含む機器を受付ける受付け手段と、前記記憶媒体あるいは記憶媒体を含む機器に記憶された前記画像情報と前記非画像関連情報を読み出す読出し手段と、前記読み出された撮影日情報またはイベント情報が単一であるか否かを判別する判別手段とを備え、前記読み出された撮影日情報またはイベント情報が単一であると判別した場合は写真１枚毎に前記画像を印刷させ、前記読み出された撮影日情報またはイベント情報が複数個あると判別した場合は、前記画像を複数個並べて印刷させるよう制御する制御手段を備えた写真注文受付印刷装置を提供することにある。
【０００８】
さらに、撮影者によって撮影された複数の画像を印刷する写真注文受付印刷方法であって、画像情報と、撮影日情報またはイベント情報を含む非画像関連情報とを記憶する記憶媒体あるいは記憶媒体を含む機器を受付けるステップと、前記記憶媒体あるいは記憶媒体を含む機器に記憶された前記画像情報と前記非画像関連情報を読み出す読出すステップと、前記読み出された撮影日情報またはイベント情報が単一であるか否かを判別するステップと、撮影日情報またはイベント情報が単一であると判別した場合には写真１枚毎に前記画像を印刷させるステップと、前記読み出された撮影日情報またはイベント情報が複数個あると判別した場合は、前記画像を複数個並べて印刷させるステップとを、を有する写真注文受付印刷方法を提供することにある。
【０００９】
また、さらに撮影者によって撮影された複数の画像を印刷する写真注文受付印刷装置により印刷される写真であって、画像情報と、撮影日情報またはイベント情報を含む非画像関連情報とを記憶する記憶媒体あるいは記憶媒体を含む機器を受付ける受付け手段により受付けられ、前記記憶媒体あるいは記憶媒体を含む機器に記憶された前記画像情報と前記非画像関連情報を読み出す読出し手段により読み出され、前記読み出された撮影日情報またはイベント情報が単一か否かを判別する判別手段により単一であると判別した場合には写真１枚毎に印刷させ、複数個であると判別した場合は、前記画像を複数個並べて印刷させる制御手段により制御された写真を提供することにある。
【発明の効果】
【００１０】
上述したように本発明によりこのような従来の構成が有していた問題を解決しようとするものであり、撮影ショット回数を気にすることなく撮影できるデジタルカメラにおいて、撮影日またはイベントが複数ある場合に１枚ずつプリントするとなると、プリント枚数が膨大になってしまうが、複数の写真を選択し組み合わせることにより、より少ないプリント枚数で多くの写真を鑑賞することができる。たとえ古い写真といえども一度に複数の写真を見ることが出来て、また記憶媒体にある画像をパソコンのハードディスクなどに格納しておけば、一覧表示を見た中から必要なときに必要な画像をプリントして楽しむことができるメリットを有する。
【発明を実施するための最良の形態】
【００１１】
図１は、本発明の画像印刷装置の概略構成を示す。Ａは記憶媒体、Ｂは読出し手段、Ｃは制御装置、Ｄはプリントシステムを示す。
【００１２】
図２は、本発明の画像印刷装置の外観斜視図を示す。２は表示器を示し、操作の案内や、デジタルカメラで撮像した画像を表示する、また、表示面には入力操作を行うためのタッチパネルを装着している。
【００１３】
表示器２の下部には、不図示の各種の記憶媒体を挿入するための記憶媒体挿入口３を、各種の記憶媒体に対応して複数個形成している。記憶媒体とは、図１で記述した記憶媒体Ａを指し、記憶媒体挿入口３は、図１で記述した読出し手段Ｂを指す。各挿入口３はそれぞれの記憶媒体に対応して、例えばＬＥＤからなるフリッカ４を備えている。各挿入口３にはシャッタを備え、その内部に電送された画像情報を受付けて入力するコネクタ部の個々のコネクタをそれぞれの記憶媒体に対応して備えている。なお、上述のコネクタ部は記憶媒体の挿入口３とは別に集合して設けることもできる。
【００１４】
５は、紙幣挿入口、６は硬貨投入口であり、料金の支払いに紙幣や硬貨を投入し、釣り銭があるときは釣り銭放出口７に放出する。そして、８はレシート放出口を示し、レシートを放出する。９はプリント放出口であり、図では内部のプリンタでプリントアウトされたプリントを放出する口としている。但しネットワークに接続された不図示のプリンタからプリントすることもある。
【００１５】
１０は、非接触型の読取口であり、赤外線通信やＩＣカード型の通信装置により記憶媒体を挿入せず、記憶媒体を含む機器から画像を読取ることができる。
【００１６】
図３は制御装置Ｃの内容を示すフローチャートである。撮影日情報またはイベント情報を含む非画像関連情報を記憶する記憶媒体Ａから、前記画像情報と前記非画像関連情報を読出し手段Ｂにおいて読み出し、前記読み出された画像情報の撮影日またはイベントが単一であると判別した場合はＳ２で示すように図４の第１状態のように写真１枚毎で前記画像を印刷させ、前記読み出された画像情報の撮影日またはイベントが複数個であると判別した場合はＳ３で示すように図４の第２状態のように前記画像を複数組み合わせて印刷させる。
【００１７】
図４で実際に前記第１状態、前記第２状態の図を示しているが、第２の状態では複数の画像を組み合わせて印刷させているが、通常のインデックスプリントと言われているように同一の大きさの写真を碁盤の目状に並べて配置してもよいことは言うまでもない。
【００１８】
本発明の請求範囲１〜３における写真を含む画像は、写真やシールのように紙媒体等に画像を表示するもの、またディスプレイやモニタ等に電子的画像を表示する表示器を指すものである。
【図面の簡単な説明】
【００１９】
【図１】本発明に係るブロック図を示す。
【図２】本発明に係る外観斜視図を示す。
【図３】本発明に係るフローチャートを示す。
【図４】本発明に係る一実施例を示す。
【符号の説明】
【００２０】
Ａ …記憶媒体
Ｂ …読出し手段
Ｃ …制御装置
Ｄ …プリントシステム
【００２１】
１ …写真注文受付装置
２ …表示器
３ …記憶媒体挿入口
４ …フリッカ
５ …硬貨投入口
６ …紙幣挿入口
７ …釣り銭放出口
８ …レシート放出口
９ …プリント放出口
１０…非接触型読取口
【図１】
2008042352.tif 000003
【図２】
2008042352.tif 000004
【図３】
2008042352.tif 000005
【図４】
2008042352.tif 000006